(57)【要約】【課題】  挿入した針金や棒等を摘みに引っ掛ける等するサムターン摘みの不正解錠が阻止可能になるとともに、良好な操作性が確保でき、しかも、一般的なサムターンと同様に、摘みの垂直・水平姿勢が視認可能となる防犯サムターンユニットを得る。【解決手段】  屋外側からはシリンダー錠、屋内側からは板形状の摘み４１によって施解錠される錠箱を備えた扉に設けられる防犯サムターンユニット１００において、摘み４１の回転を規制する一方、押圧によって規制を解除する一対のボタン６３ｂ，６５ｂを、摘み４１の表裏面に突設し、摘み４１の回転を錠箱へ伝達する一方、錠箱からの回転入力に対してはボタン６３ｂ，６５ｂによる規制を解除して摘み４１を回転可能とする回転伝達機構９１を摘み４１と錠箱との間に設けた。【選択図】      図１
2005042498.tif 000002
【特許請求の範囲】
【請求項１】
屋外側からはシリンダー錠、屋内側からは所定形状の摘みによって施解錠される錠箱を備えた扉に設けられる防犯サムターンユニットであって、
前記摘みの回転を規制する一方、押圧によって該規制を解除する一対のボタンを、前記摘みの表裏面に突設し、
前記摘みの回転を前記錠箱へ伝達する一方、前記錠箱からの回転入力に対しては前記ボタンによる規制を解除して該摘みを回転可能とする回転伝達機構を、前記摘みと前記錠箱との間に設けたことを特徴とする防犯サムターンユニット。
【請求項２】
扉の屋内面側に固定される固定筒と、
該固定筒に回転自在に内設され錠箱の入出力軸に連結されるコア軸と、
屋内側へ突出する板状の摘みを有し前記固定筒内に回転自在に内設されるサムターン筒と、
該サムターン筒に軸線直交方向で摺動自在に内設され該サムターン筒の外周から突出して前記固定筒に係合することで該サムターン筒の回転を阻止するストッパーと、
該ストッパーを係合方向に付勢するストッパーバネと、
前記摘みの表裏面に突出され同時に押圧されることで前記ストッパーの係合を解除する一対のボタンと、
前記サムターン筒に固定されて一体回転するローターと、
該ローターに内設され前記コア軸の突起板を挟持して該ローターの回転を前記コア軸に伝達するとともに、前記コア軸からの回転入力に対しては前記突起板によって開脚され、該開脚動作によって前記ストッパーを係合解除方向に作動させる一対の挟持板と、
を具備したことを特徴とする防犯サムターンユニット。
【発明の詳細な説明】
【技術分野】
【０００１】
本発明は、扉の屋内面に突出させた摘みの回転を規制することで、錠箱に対する不正な解錠操作力の入力を阻止する防犯サムターンユニットに関する。
【背景技術】
【０００２】
マンションや住宅等に設けられる玄関扉には錠箱が設けられ、錠箱は扉木口から進退させたデッドボルトを扉枠に係合・係合解除させて、扉を施解錠する施解錠機構を内蔵している。錠箱は、屋外側からのシリンダー錠による施解錠操作力、或いは屋内側からのサムターンによる施解錠操作力の入力によって施解錠動作される。すなわち、屋外側からはシリンダー錠の合鍵による操作が必要になる一方、屋内側からは合鍵を用いずに摘みのみの回転操作で施解錠が行える。
【０００３】
この種のサムターンは、下記特許文献１にも開示されるように、扉の屋内面側に垂直に突出した板状の摘みを有する。この摘みは、サムターン軸を介して錠箱の施解錠機構に連結されている。従って、屋内側からは、この摘みを指で摘んで正逆回転操作することで、回転操作力がサムターン軸を介して直接錠箱へ伝達され、施解錠機構によりデッドボルトが進退されて、施解錠操作が簡便に行えるようになっている。
【０００４】
ところが、近年、ポスト口や、機械工具によって開けた小さな穴から棒や針金等を挿入し、回転操作の容易なサムターンに係止して回転させ、施錠装置を解錠する不正解錠が増えている。このようなサムターンに針金等を係止して回転させることを防止するものに例えば下記特許文献２に開示されるサムターン用防犯カバーがある。
【０００５】
この防犯カバーは、サムターンが嵌入する嵌入孔が形成されているとともに、回転時に円状軌跡を描くサムターンの外面を覆う部分が、円状軌跡に沿う円形状に形成されている。そして、嵌入孔内に螺入してサムターンの側面に当接し、両側から挟持するセットスクリューが設けられている。このような構成からなる防犯カバーは、嵌入孔にサムターンを挿入することで、サムターンに防犯カバーを覆うように被せる。その後セットスクリューを螺入させて締め付けることで、防犯カバーをサムターンに固定する。従って、サムターンに被せた防犯カバーによって、針金等を係止させて回転させることが難しくなる。
【０００６】
また、上記した防犯カバーの別態様として、防犯カバーを、取付部及び本体部から構成したものが開示されている。取付部は、上記の防犯カバーの外形を手での操作が容易となるように形成し、本体部が係止する係止突部を設けている。取付部は、サムターンに被せた状態で、サムターンを容易に回転させることができる。また、本体部は、係止突部に係止可能な係止部を有している。このようにすることで、係止作業という簡単な作業で、防犯カバーの着脱が行える。さらに係止部で本体部が空転することにより、針金等を係止させて回転させることが不可能となる。
【特許文献１】特公平２−１５７１５号公報（第１図ｂ，第１図ｃ）
【特許文献２】実公平４−４０３６２号公報
【発明の開示】
【発明が解決しようとする課題】
【０００７】
しかしながら、上記した従来の防犯カバーは、外形が円筒体形状であるため、従来の摘み操作が行えず、操作性が低下するとともに、サムターンに被せた場合、本来小判形状であることからその回転位置によって視認できたサムターンの施錠状態又は非施錠状態を視認不能にしてしまい、これによっても施解錠の操作性を低下させる問題があった。
また、サムターンを回転操作可能にする取付部と、この取付部に対し空転し、且つ着脱可能となる本体部とから構成されているため、脱着した本体部の保管管理が煩雑となり、本体部を紛失する虞もあった。
【０００８】
本発明は上記状況に鑑みてなされたもので、挿入した針金や棒等を摘みに引っ掛ける等するサムターン摘みの不正解錠が阻止可能になるとともに、良好な操作性が確保でき、しかも、一般的なサムターンと同様に、摘みの垂直・水平姿勢が視認可能となる防犯サムターンユニットを得ることを目的とする。
【課題を解決するための手段】
【０００９】
次に、上記の課題を解決するための手段を、実施の形態に対応する図面を参照して説明する。
この発明の請求項１記載の防犯サムターンユニット１００は、屋外側からはシリンダー錠、屋内側からは所定形状の摘み４１によって施解錠される錠箱を備えた扉に設けられる防犯サムターンユニット１００であって、
前記摘み４１の回転を規制する一方、押圧によって該規制を解除する一対のボタン６３ｂ，６５ｂを、前記摘み４１の表裏面に突設し、
前記摘み４１の回転を前記錠箱へ伝達する一方、前記錠箱からの回転入力に対しては前記ボタン６３ｂ，６５ｂによる規制を解除して該摘み４１を回転可能とする回転伝達機構９１を、前記摘み４１と前記錠箱との間に設けたことを特徴とする。
【００１０】
この防犯サムターンユニット１００では、ボタン６３ｂ，６５ｂを押下しながらの回転力が摘み４１に加えられなければ、摘み４１による操作が行えず、これにより、挿入した針金や棒等を摘みに引っ掛ける等して、サムターン摘み４１を回転することによる不正解錠が阻止される。また、一般的なサムターンと同様に、摘み４１を摘んで回動操作が行え、施錠時にはボタン操作に関わらず施錠が行えるとともに、屋外からのシリンダー錠による合鍵操作時にはボタン６３ｂ，６５ｂによる規制が自動解除されて、摘み４１が回転されるので、良好な操作性が確保される。さらに、従来の防犯カバーが被せられる構成と異なり、摘み４１を例えば板状に形成することで垂直・水平姿勢が視認可能となるので、一般的なサムターンと同様に、室内側からの施解錠状態が容易に確認できるようになる。
【００１１】
請求項２記載の防犯サムターンユニット１００は、扉の屋内面側に固定される固定筒２１と、
該固定筒２１に回転自在に内設され錠箱の入出力軸３７に連結されるコア軸３５と、
屋内側へ突出する板状の摘み４１を有し前記固定筒２１内に回転自在に内設されるサムターン筒４３と、
該サムターン筒４３に軸線直交方向で摺動自在に内設され該サムターン筒４３の外周から突出して前記固定筒２１に係合することで該サムターン筒４３の回転を阻止するストッパー４９，５１と、
該ストッパー４９，５１を係合方向に付勢するストッパーバネ５３と、
前記摘み４１の表裏面に突出され同時に押圧されることで前記ストッパー４９，５１の係合を解除する一対のボタン６３ｂ，６５ｂと、
前記サムターン筒４３に固定されて一体回転するローター６７と、
該ローター６７に内設され前記コア軸３５の突起板３９を挟持して該ローター６７の回転を前記コア軸３５に伝達するとともに、前記コア軸３５からの回転入力に対しては前記突起板３９によって開脚され、該開脚動作によって前記ストッパー４９，５１を係合解除方向に作動させる一対の挟持板６９，７１と、
を具備したことを特徴とする。
【００１２】
この防犯サムターンユニット１００では、サムターン筒４３と、サムターン筒４３の回転を阻止するストッパー４９，５１と、ストッパー４９，５１の係合を解除する一対のボタン６３ｂ，６５ｂと、サムターン筒４３に固定されて一体回転するローター６７と、ローター６７に内設されローター６７の回転を錠箱に伝達するとともに、錠箱からの回転入力に対してはストッパー４９，５１を係合解除方向に作動させる一対の挟持板６９，７１とを設け、回転伝達機構９１が具体的に実現される。すなわち、ボタン６３ｂ，６５ｂが押下されてストッパー４９，５１による規制の解除されたサムターン筒４３は、摘み４１が回転されることで、その回転がローター６７、コア軸３５を介して錠箱へと伝達される。一方、屋外側からシリンダー錠が操作され、錠箱から回転伝達機構へ回転力が入力されると、コア軸３５の突起板３９によって挟持板６９，７１が開脚され、この開脚動作によって、ストッパー４９，５１が係合解除方向へ作動され、その結果、サムターン筒４３及び摘み４１がコア軸３５と共に回転可能となる。これにより、不正解錠の阻止による防犯性の向上、良好な操作性の確保、施解錠状態の容易な視認性が達成可能となる。
【発明の効果】
【００１３】
本発明に係る請求項１記載の防犯サムターンユニットによれば、摘みの回転を規制する一方、押圧によって規制を解除する一対のボタンを、摘みの表裏面に突設し、摘みの回転を錠箱へ伝達する一方、錠箱からの回転入力に対してはボタンによる規制を解除して摘みを回転可能とする回転伝達機構を、摘みと錠箱との間に設けたので、ボタンを押下しながら摘みに回転力を加えなければ摘みによる操作は行えず、これにより、挿入した針金や棒等を摘みに引っ掛ける等して、サムターン摘みを回転することによる不正解錠を阻止でき、防犯性を向上させることができる。また、一般的なサムターンと同様に、摘みを摘んで回動操作が行え、施錠時にはボタンに関わらず施錠が行えるとともに、屋外からのシリンダー錠による合鍵操作時にはボタンの規制が自動解除されて摘みが回転するので、良好な操作性を確保することができる。さらに、従来の防犯カバーを被せるのと異なり、摘みの形状を板状形状とすれば垂直・水平姿勢が視認できるので、一般的なサムターンと同様に、室内側からの施解錠状態を容易に確認することができる。
【００１４】
請求項２記載の防犯サムターンユニットによれば、サムターン筒と、サムターン筒の回転を阻止するストッパーと、ストッパーの係合を解除する一対のボタンと、サムターン筒に固定されて一体回転するローターと、ローターに内設されローターの回転を錠箱に伝達するとともに、錠箱からの回転入力に対しては開脚動作によってストッパーを係合解除方向に作動させる一対の挟持板とを設けたので、摘みの回転を錠箱へ伝達する一方、錠箱からの回転入力に対してはボタンによる規制を解除して摘みを回転可能とする回転伝達機構を、具体的に実現させることができ、これにより、不正解錠の阻止による防犯性の向上、良好な操作性の確保、施解錠状態の容易な視認性を達成することができる。
【発明を実施するための最良の形態】
【００１５】
以下、本発明に係る防犯サムターンユニットの好適な実施の形態を図面を参照して詳細に説明する。
図１は本発明に係る防犯サムターンユニットの施錠状態の縦断面図、図２はサムターン筒の分解斜視図、図３はストッパーの分離されたサムターン筒を背面側から見た斜視図、図４はコア軸、挟持板、ストッパーの分解斜視図、図５は施錠状態におけるサムターン筒の背面図である。
【００１６】
本実施の形態による防犯サムターンユニット１００が取付けられる図示ない扉には、錠箱が設けられる。錠箱は、ラッチボルト、デッドボルト、及びこれらを扉の木口から進退させる錠箱機構部を内設している。錠箱のデッドボルトは、扉の屋外側の面に設けたシリンダー錠を合鍵（キー）によって、又は扉の屋内側の面に設けられたサムターン摘み（以下、単に「摘み」と称す）を回動することによって扉の木口から進退可能となっている。防犯サムターンユニット１００は、以下の構成によって、摘み操作を有効又は不能にするよう作動される。
【００１７】
扉又は錠箱には固定筒２１が固定される。固定筒２１の軸線方向一端側の外周には一対の固定部２３，２３が突設され、固定部２３，２３は固定穴２５を有している。固定筒２１は、扉内に設けられた錠箱にこの固定穴２５を介して固定される。
【００１８】
固定筒２１の先端には中央穴２７を有した飾り筒２９が被せられて固定される。この飾り筒２９の外周側となる固定筒２１の先端部には、先端が平坦な円錐形状の化粧リング３１が外装される。化粧リング３１は、後端の折り曲げ部３１ａと、飾り筒２９の後端面との間に配設されたバネ３３の付勢力によって後端が扉の屋内面に押付けられる。
【００１９】
固定筒２１の内部にはコア軸３５が回転自在に内設され、コア軸３５は後部が錠箱からの入出力軸３７に連結されている。コア軸３５は、先端面に突起板３９を突設している。従って、入出力軸３７が回転されれば、突起板３９が回転され、逆に突起板３９が回転されれば、入出力軸３７が回転される。
【００２０】
固定筒２１の先端側内部には、摘み４１を有したサムターン筒４３が回転自在に内設される。サムターン筒４３の摘み４１は、略板状に形成され、飾り筒２９の中央穴２７から屋内側へ突出されている。
【００２１】
図３に示すように、サムターン筒４３の後部は、筒状部４５となり、筒状部４５には直径方向の両端に開口する切欠４７が形成されている。筒状部４５の内部には、筒状部４５の軸線直交方向で摺動自在となる一対のストッパー４９，５１が内設されている。ストッパー４９にはバネフック４９ａと、脚端挿入孔４９ｂが形成されている。また、ストッパー５１には、バネフック５１ａと、フック貫通穴５１ｂと、脚端挿入孔５１ｃとが形成されている。
【００２２】
一対のストッパー４９，５１は、フック貫通穴５１ｂに挿通したバネフック４９ａと、バネフック５１ａとの間にストッパーバネ５３が張架され、バネフック４９ａ、バネフック５１ａが互いに接近する方向に付勢される。これにより、ストッパー４９，５１の端部４９ｃ，５１ｄは、切欠４７から突出し、固定筒２１に形成された係合溝５５に係合する。
【００２３】
ストッパー４９，５１の端部４９ｃ，５１ｄが係合溝５５に係合することで、サムターン筒４３の回動は不能となる。また、このストッパー４９，５１にはブロック部４９ｄ，５１ｅが設けられ、これらブロック部４９ｄ，５１ｅは後述する挟持板と係合する。
【００２４】
一方、サムターン筒４３の摘み４１は、上板５７と、下板５９とに分割され、上下板５７，５９の間には揺動軸６１によって揺動自在となった一対のボタン脚６３，６５が挟み入れられている。上下板５７，５９にはボタン穴５７ａ，５９ａが設けられている。ボタン脚６３，６５は、揺動軸６１の挿入穴６３ａ，６５ａを挟んで一端側にボタン６３ｂ，６５ｂが形成され、これらボタン６３ｂ，６５ｂは上下板５７，５９のボタン穴５７ａ，５９ａから突出される。
【００２５】
また、ボタン脚６３，６５には、ボタン６３ｂ，６５ｂの反対側に、脚端６３ｃ，６５ｃが形成され、脚端６３ｃ，６５ｃは筒状部４５へ突出して、ストッパー４９，５１の脚端挿入孔４９ｂ，５１ｃに挿入される。従って、ストッパー４９，５１は、ボタン６３ｂ，６５ｂが押下されることにより、脚端６３ｃ，６５ｃが略水平に並ぶ位置関係となるように移動され（図８参照）、これにより、ストッパーバネ５３の付勢力に抗して、端部４９ｃ，５１ｄを筒状部４５内に後退させる方向に移動させる。つまり、ボタン６３ｂ，６５ｂを押下することにより、ストッパー４９，５１と係合溝５５との係合が解除されるようになっている。
【００２６】
固定筒２１の内部には、コア軸３５とサムターン筒４３との間に位置する略リング状のローター６７が回動自在に内設されている。このローター６７は、ビスなどの固定手段（図示せず）を介してサムターン筒４３の筒状部４５背面に固定される。ローター６７は、中央部にコア軸３５の突起板３９を配置させている。ローター６７には一対の挟持板６９，７１が内設され、挟持板６９，７１はローター直径方向一端に設けられるローター軸線方向の揺動軸７３によって、他端側が開脚自在となる。
【００２７】
突起板３９は、この挟持板６９，７１の間に配置される。挟持板６９，７１とローター６７の内壁との間には一対の挟持板バネ７５が配設され、挟持板バネ７５は挟持板６９，７１を、突起板３９に当接させる方向に付勢している。それぞれの挟持板６９，７１にはローター軸線方向でストッパー４９，５１に向かって突出するピン６９ａ，７１ａが形成され、ピン６９ａはストッパー４９のブロック部４９ｄと、ピン７１ａはストッパー５１のブロック部５１ｅとローター半径方向の内側から当接するようになっている。
【００２８】
サムターン筒４３と、サムターン筒４３の回転を阻止するストッパー４９，５１と、ストッパー４９，５１の係合を解除する一対のボタン６３ｂ，６５ｂと、サムターン筒４３に固定されて一体回転するローター６７と、ローター６７に内設されローター６７の回転を錠箱に伝達するとともに錠箱からの回転入力に対してはストッパー４９，５１を係合解除方向に作動させる一対の挟持板６９，７１とは、回転伝達機構９１を構成している。
【００２９】
次に、上記の構成を有する防犯サムターンユニットの作用を説明する。
図６は施錠状態でボタンが押下されたサムターン筒の正面図、図７は施錠状態でボタンが押下された防犯サムターンユニットの縦断面図、図８は施錠状態で防犯サムターンユニットが押下されたサムターン筒の背面図、図９は解錠状態のサムターン筒の背面図、図１０は解錠状態のサムターン筒の正面図、図１１は錠箱からの入力により挟持板が開脚した防犯サムターンユニットの縦断面図、図１２は挟持板が開脚されたローターの正面図、図１３は挟持板が開脚された際のサムターン筒の背面図である。
【００３０】
図５に示す施錠状態において、摘み４１は水平方向に位置し、サムターン筒４３に内設されたストッパー４９，５１がストッパーバネ５３の付勢力により切欠４７から突出して係合溝５５（図１，図８参照）に係合している。
防犯サムターンユニット１００の施錠状態を解除するには、図６に示すように、摘み４１から突出している表裏面のボタン６３ｂ，６５ｂを押下する。
ボタン６３ｂ，６５ｂが押下されると、図７に示すように、ボタン脚６３，６５が揺動軸６１を介して揺動し、脚端６３ｃ，６５ｃが図８に示すように略水平に並んだ位置関係に移動される。一対のストッパー４９，５１は、図８に示すように、脚端挿入孔４９ｂ，５１ｃに挿入された脚端６３ｃ，６５ｃによって作動され、端部４９ｃ，５１ｄが係合溝５５から抜脱される方向に移動される。
【００３１】
その結果、ストッパー４９，５１と係合溝５５との係合が解除され、サムターン筒４３は回転が可能となって、図９に示すように摘み４１が垂直方向へと回転される。この際、摘み４１の垂直位置では、固定筒２１の内周に係合溝５５が形成されていないため、ストッパー４９，５１は筒状部４５内に後退したままの状態となる。従って、ボタン６３ｂ，６５ｂは、図１０に示すように、押下された状態のままに保持されることになる。
【００３２】
一方、図１０に示した解錠状態から施錠状態にするには、ボタン６３ｂ，６５ｂの操作に関わらず、単に摘み４１を水平状態となるまで回転操作すればよい。すなわち、垂直状態から水平状態へと摘み４１が回転されれば、その回転力がローター６７、コア軸３５を介して入出力軸３７へ伝達されるとともに、ストッパー４９，５１が係合溝５５に一致し、ストッパーバネ５３の付勢力により端部４９ｃ，５１ｄが係合溝５５に係合し、再び図５に示した状態となり、ボタン６３ｂ，６５ｂが突出して施錠が完了する。
【００３３】
また、施錠状態において、屋外側からシリンダー錠が合鍵によって操作されると、錠箱の入出力軸３７が回転し、その回転に連動して図１１に示すようにコア軸３５が回転される。コア軸３５が回転されると、図１２に示すように、突起板３９が傾き、これにより挟持板６９，７１が、挟持板バネ７５の付勢力に抗して開脚する。挟持板６９，７１が開脚されると、図１３に示すように、挟持板６９、７１のピン６９ａ，７１ａがストッパー４９，５１のブロック部４９ｄ，５１ｅに当接する。ピン６９ａ，７１ａは、端部４９ｃ，５１ｄが係合溝５５から抜脱される方向へ、ストッパー４９，５１を移動させる。
【００３４】
これにより、施錠状態においても、シリンダー錠の操作によって、ストッパー４９，５１の規制が解除され、摘み４１が回転されることになる。
【００３５】
なお、解錠状態において、屋外側からシリンダー錠を介して施錠状態とする場合は、ストッパー４９，５１が係合状態となっていないので、通常の施錠操作となる。また、挟持板６９，７１は、傾斜した突起板３９によって開脚された後には、ローター６７の内壁に当接し、さらに突起板３９が回転されることで、ローター６７を介してサムターン筒４３を回転させることになる。
【００３６】
この防犯サムターンユニット１００によれば、ボタン６３ｂ，６５ｂを押下しながらの回転力が摘み４１に加えられなければ、特に、一対の各ボタン６３ｂ，６５ｂをそれぞれ押下した状態で摘み、回転を行わなければ、摘み４１による解錠操作が行えず、これにより、挿入した針金や棒等を摘みに引っ掛ける等して、摘み４１を回転することによる不正解錠が阻止される。また、一般的なサムターンと同様に、摘み４１を摘んで回動操作が行え、施錠時にはボタン操作に関わらず施錠が行えるとともに、屋外からのシリンダー錠による合鍵操作時にはストッパー４９，５１が自動解除されて摘み４１が回転されるので、良好な操作性が確保される。さらに、従来の防犯カバーが被せられる構成と異なり、摘み４１の垂直・水平姿勢が視認可能となるので、一般的なサムターンと同様に、室内側からの施解錠状態が容易に確認できるようになる。
【００３７】
また、この防犯サムターンユニット１００では、サムターン筒４３と、ストッパー４９，５１と、ボタン６３ｂ，６５ｂと、ローター６７と、挟持板６９，７１とで回転伝達機構９１を構成したので、ボタン６３ｂ，６５ｂが押下されてストッパー４９，５１による規制が解除されるとサムターン筒４３の回転は、ローター６７、コア軸３５を介して錠箱へと伝達される。一方、屋外側からシリンダー錠が操作され、錠箱から回転伝達機構９１へ回転力が入力されると、コア軸３５の突起板３９によって挟持板６９，７１が開脚され、この開脚動作によって、ストッパー４９，５１が係合解除方向へ作動され、その結果、サムターン筒４３及び摘み４１がコア軸３５と共に回転可能となる。これにより、不正解錠の阻止による防犯性の向上、良好な操作性の確保、施解錠状態の容易な視認性が達成可能となる。
【００３８】
なお、上述した実施の形態では、摘み４１の形状を略板状に形成した例について述べたが、これに限ることはなく、楕円状に中途部分が膨出形状とされている形状としてもよく、あるいは錐状や角柱状などの形状としてもよい。
【図面の簡単な説明】
【００３９】
【図１】本発明に係る防犯サムターンユニットの施錠状態の縦断面図である。
【図２】サムターン筒の分解斜視図である。
【図３】ストッパーの分離されたサムターン筒を背面側から見た斜視図である。
【図４】コア軸、挟持板、ストッパーの分解斜視図である。
【図５】施錠状態におけるサムターン筒の背面図である。
【図６】施錠状態でボタンが押下されたサムターン筒の正面図である。
【図７】施錠状態でボタンが押下された防犯サムターンユニットの縦断面図である。
【図８】施錠状態で防犯サムターンユニットが押下されたサムターン筒の背面図である。
【図９】解錠状態のサムターン筒の背面図である。
【図１０】解錠状態のサムターン筒の正面図である。
【図１１】錠箱からの入力により挟持板が開脚した防犯サムターンユニットの縦断面図である。
【図１２】挟持板が開脚されたローターの正面図である。
【図１３】挟持板が開脚された際のサムターン筒の背面図である。
【符号の説明】
【００４０】
２１…固定筒
３５…コア軸
３７…入出力軸
３９…突起板
４１…摘み
４３…サムターン筒
４９，５１…ストッパー
５３…ストッパーバネ
６３ｂ，６５ｂ…ボタン
６７…ローター
６９，７１…挟持板
９１…回転伝達機構
１００…防犯サムターンユニット
【図１】
2005042498.tif 000003
【図２】
2005042498.tif 000004
【図３】
2005042498.tif 000005
【図４】
2005042498.tif 000006
【図５】
2005042498.tif 000007
【図６】
2005042498.tif 000008
【図７】
2005042498.tif 000009
【図８】
2005042498.tif 000010
【図９】
2005042498.tif 000011
【図１０】
2005042498.tif 000012
【図１１】
2005042498.tif 000013
【図１２】
2005042498.tif 000014
【図１３】
2005042498.tif 000015